(57)【特許請求の範囲】
【請求項１】
音の放射方向と逆側に位置する一つの面と、前記一つの面の終端から前記音の放射方向に屈曲する他の面と、通気用の開口とを有するフレームと、
ボイスコイルに電気信号を伝える端子と、を備え、
前記開口は、前記一つの面の一部と前記他の面の一部とにわたって連続しており、
前記一つの面側の前記開口の全部を閉塞するように前記端子が配置されていることを特徴とするスピーカー装置。
【請求項２】
前記フレームにおいて前記音の放射方向に位置する面を上面としたとき、
前記一つの面は前記フレームの背面に対応していると共に、前記他の面は前記フレームの側面に対応していることを特徴とする請求項１に記載のスピーカー装置。
【請求項３】
前記一つの面側の前記開口に対応する位置には階段状の段部が形成され、
前記端子は接着要素を介して前記段部に取り付けられていることを特徴とする請求項１に記載のスピーカー装置。
【請求項４】
前記一つの面側の前記開口に対応する位置には階段状の溝が形成され、
前記端子の一端側は外部回路に接続される部位であり、
前記端子の他端側は階段状に形成され且つ前記溝に嵌合していることを特徴とする請求項１に記載のスピーカー装置。
【請求項５】
磁気回路を有し、
前記フレームは枠状の形状に形成され且つ前記磁気回路を保持する内壁を有し、
前記磁気回路が前記内壁に保持された状態において、前記一つの面は前記磁気回路の背面と略同一面上に位置していることを特徴とする請求項１に記載のスピーカー装置。
【請求項６】
前記ボイスコイルを保持する凹部を含む振動板を有し、
前記振動板の外周部は前記一つの面と逆側に位置する前記他の面の一端側に取り付けられており、
前記振動板と前記磁気回路の間には空間が形成されていると共に、前記空間は前記開口に通じていることを特徴とする請求項５に記載のスピーカー装置。
【発明の詳細な説明】
【技術分野】
【０００１】
本発明は、スピーカー装置におけるフレームと端子の取付構造等に関する。
【背景技術】
【０００２】
近年、携帯電話、ＰＤＡ（Personal Digital Assistants）、ノート型パソコンなどの各種の情報機器にスピーカー装置が使用されている。
【０００３】
そのようなスピーカー装置は、ヨーク、マグネット及びプレートなどの磁気回路と、ボイスコイル、振動板及びフレームなどの振動系とを備えて構成される。また、かかるスピーカー装置は、フレーム等の適所にボイスコイルのリード線及び外部回路と接続された端子を有している。このため、かかるスピーカー装置は、その動作時、外部回路から端子及びボイスコイルのリード線を通じてボイスコイルに音声信号や電力が供給され、振動板を通じて音波を放射する。
【０００４】
この種のスピーカー装置として、例えば、エアを良好に逃すことが出来、且つ、マグネットの大型化を実現して感度を向上させることが可能な外磁型のスピーカー装置が知られている（例えば、特許文献１を参照）。特許文献１に記載のスピーカー装置は、支持フレームの側面部の所定箇所に通気孔を設けており、この通気孔を通じて、その装置内部のエアを良好に逃がすようにして振動板の移動をスムーズにさせていると共に、外磁型のマグネットの側面部（外径）の位置を支持フレームの内壁位置に設定することで大型のマグネットの使用を可能とし、これらにより感度が向上している。
【０００５】
また、この種のスピーカー装置では、その動作時にボイスコイルが発熱して、その周辺が高温になってしまい、感度低下をもたらすなどの問題があるが、このような問題を解消することが可能なスピーカー装置が例えば特許文献２及び３に記載されている。
【０００６】
特許文献２に記載のスピーカー装置は、プレートに複数の通気孔が形成されていると共に、その各通気孔はエアギャップを介してポールピースの中央開口部に繋がっている。このため、その動作時には、各通気孔、エアギャップ及びポールピースの中央開口部のエア通路を通じて外部との間でエア（空気）の流出入が行われスピーカー装置が冷却される。
【０００７】
また、特許文献３に記載のスピーカー装置は、プレートに放射状の通気孔が複数形成されていると共に、各通気孔はボイスコイルギャップに繋がっており、さらにヨークの中央には開口が形成されている。これらの各通気孔及び開口を通じて外部との間でエア（空気）の流出入が行われスピーカー装置が冷却される。
【０００８】
なお、この種のスピーカー装置として、例えば、振動板を覆うようにしてフレームに結合されるプロテクタに複数の微小の孔部を設けることにより、音圧周波数特性を平坦化して音圧の向上を図ることが可能なスピーカー装置が知られている（例えば、特許文献４を参照）。また、フレームに複数の背面孔が設けられてなるスピーカー装置も知られている（例えば、特許文献５を参照）。
【０００９】
【特許文献１】特開２００２−１７１５９６号公報
【特許文献２】米国特許第５，９０９，０１５号公報
【特許文献３】米国特許第６，４３０，３００号公報
【特許文献４】特開２００４−２６６６０７号公報
【特許文献５】特開昭５８−５３２９９号公報
【発明の開示】
【発明が解決しようとする課題】
【００１０】
本発明が解決しようとする課題としては、上記のようなものが例として挙げられる。本発明は、通気孔を確保しつつ、フレームにおいて端子の設置スペースの拡大化を図ることが可能なスピーカー装置を提供することを課題とする。
【課題を解決するための手段】
【００１１】
請求項１に記載の発明は、スピーカー装置は、音の放射方向と逆側に位置する一つの面と、前記一つの面の終端から前記音の放射方向に屈曲する他の面と、通気用の開口とを有するフレームと、ボイスコイルに電気信号を伝える端子と、を備え、前記開口は、前記一つの面の一部と前記他の面の一部とにわたって連続しており、前記一つの面側の前記開口の全部を閉塞するように前記端子が配置されていることを特徴とする。
【発明を実施するための最良の形態】
【００１２】
本発明の１つの観点では、スピーカー装置は、音の放射方向と逆側に位置する一つの面と、前記一つの面の終端から前記音の放射方向に屈曲する他の面と、通気用の開口とを有するフレームと、ボイスコイルに電気信号を伝える端子と、を備え、前記開口は、前記一つの面の一部と前記他の面の一部とにわたって連続しており、前記一つの面側の前記開口の全部を閉塞するように前記端子が配置されている。
【００１３】
上記のスピーカー装置は、音の放射方向と逆側に位置する一つの面と、一つの面の終端から音の放射方向に屈曲する他の面と、通気用の開口とを有するフレームを備えると共に、ボイスコイルに電気信号を伝える端子を備えて構成される。好適な例では、前記フレームにおいて前記音の放射方向に位置する面を上面としたとき、前記一つの面は前記フレームの背面に対応しているのが好ましいと共に、前記他の面は前記フレームの側面に対応しているのが好ましい。また、端子はボイスコイルと外部回路とを電気的に接続する中継端子とすることができる。
【００１４】
特に、フレームに設けられた開口は、一つの面（例えば、背面）の一部と他の面（例えば、側面）の一部とにわたって連続しており、その一つの面側の開口の全部を閉塞するように端子が配置されている。このため、一つの面側の開口は閉塞されている一方、他の面側には開口が設定され、スピーカー装置の通気性が確保されている。また、一つの面側に開口が設定されない分、その一つの面側において端子の設置スペースの拡大化を図ることができる。
【００１５】
また、このような構成の適用は小型スピーカー装置に特に有利であり、アンプ側とスピーカー装置の電気的な接触エリアの拡大化によって、本構成の適用可能なスピーカー装置の種類を増やすことができ、スピーカー装置の汎用性拡大にも繋がる。よって、携帯電話、ＰＤＡ、ノート型パソコンなどの各種の情報機器用のスピーカー装置として好適に用いることができる。
【００１６】
さらに、この構成を採用すれば、フレームの側面にのみ通気用の開口を有する構成（比較例に係る構成）と比較して、フレームを安価に成形することが可能となる。
【００１７】
即ち、比較例に係る構成を採用すれば、上記のスピーカー装置と同様の効果を期待できるが、その反面、次のような問題が生じる。
【００１８】
一般的に、フレームは、その上面成形用の金型とその下面成形用の金型の２つの金型を用いて射出成形することにより成形される。したがって、そのような射出成形方法では、フレームの側面にのみ開口を形成するのは容易ではなく、また、そのようなフレームを安価に成形するのも困難である。よって、比較例の構成を有するフレームを成形するのは成形性及びコストの点において問題がある。この点、上記のスピーカー装置のように、フレームの一つの面（例えば、背面）と、他の面（例えば、側面）とを繋げるように開口を構成すれば、上記の射出成形方法により容易且つ安価に成形することができる。
【００１９】
好適な例では、前記一つの面側の前記開口に対応する位置には階段状の段部が形成され、前記端子は接着要素を介して前記段部に取り付けられているのが好ましい。また、この態様に代えて、前記一つの面側の前記開口に対応する位置には階段状の溝が形成され、前記端子の一端側は外部回路に接続される部位であり、前記端子の他端側は階段状に形成され且つ前記溝に嵌合しているのが好ましい。これにより、上記の好適な例と比較して、かかる端子をフレームに取り付ける作業（工数）の削減を図ることができると共に、当該端子と外部回路との接触位置の精度向上を図ることができる。
【００２０】
上記のスピーカー装置の一つの態様では、磁気回路を有し、前記フレームは枠状の形状に形成され且つ前記磁気回路を保持する内壁を有し、前記磁気回路が前記内壁に保持された状態において、前記一つの面は前記磁気回路の背面と略同一面上に位置している。
【００２１】
この態様は、例えば、ヨーク、マグネット及びプレート等により構成される磁気回路を有している。また、フレームは、枠状の形状に形成され且つ磁気回路を保持する内壁を有し、その磁気回路がフレームの内壁に保持された状態において、フレームの一つの面は、その磁気回路の背面と略同一面上に位置している。
【００２２】
したがって、例えば、フレームの一つの面（例えば、背面）側において端子の設置スペースを十分に確保することが可能な場合、不必要な端子の設置スペースの分を磁気回路の寸法拡大に割り当てることができ、磁気回路の拡大化を図ることができる。その結果、感度向上を図ることができる。
【００２３】
上記のスピーカー装置の他の態様では、前記ボイスコイルを保持する凹部を含む振動板を有し、前記振動板の外周部は前記一つの面と逆側に位置する前記他の面の一端側に取り付けられており、前記振動板と前記磁気回路の間には空間が形成されていると共に、前記空間は前記開口に通じている。
【００２４】
この態様では、ボイスコイルを保持する凹部を含む振動板を有して構成される。そして、振動板の外周部は一つの面（例えば、背面）と逆側に位置する他の面（例えば、側面）の一端側に取り付けられており、振動板と磁気回路の間には空間が形成されていると共に、その空間は開口に通じている。これにより、スピーカー装置内の通気性が高まるため、その装置内が冷却されると共に、その装置内の圧力が必要以上に高くなるのを防止でき振動板の移動が円滑（スムーズ）になる。これらにより、感度が低下するのを防止できる。
【実施例】
【００２５】
以下、図面を参照して本発明の好適な各種の実施例について説明する。
【００２６】
［第１実施例］
フレームにおいて、その側面とその背面とを繋ぐ開口を設け、その背面側の開口を閉塞する位置に端子を配置する。これにより、スピーカー装置内の通気性を確保しつつ、フレームにおける端子の設置スペースの拡大化等を図る。
【００２７】
（スピーカー装置の構成）
まず、図１乃至図３等を参照して、本発明の第１実施例に係るスピーカー装置１００の構成等について説明する。
【００２８】
図１（ａ）は、スピーカー装置１００の正面図を示す。図１（ｂ）は、スピーカー装置１００の背面図を示す。図１（ｃ）は、図１（ａ）等におけるスピーカー装置１００をＹ方向から観察したときの当該スピーカー装置１００の短手方向に位置する側面図を示す。図２（ａ）は、図１（ａ）等におけるスピーカー装置１００をＸ方向から観察したときの当該スピーカー装置１００の長手方向に位置する側面図を示す。図２（ｂ）は、図１（ａ）及び（ｂ）におけるスピーカー装置１００の切断線Ｂ−Ｂ’に沿った部分断面図を示す。図３は、図１（ａ）及び（ｂ）におけるスピーカー装置１００の切断線Ａ−Ａ’に沿った断面図であり、当該スピーカー装置１００の短手方向（Ｙ方向）の中心を通る平面で切断した断面図である。
【００２９】
スピーカー装置１００は、ヨーク１、マグネット２及びプレート３を含む磁気回路３０と、フレーム４、振動板５、ボイスコイル６及びケース７を含む振動系３１と、その他の部材を備えて構成される。
【００３０】
まず、磁気回路３０の構成について説明する。本磁気回路３０は、外磁型の磁気回路として構成されている。
【００３１】
ヨーク１は、略円柱状の形状をなすポール部１ａと、そのポール部１ａの外周壁の下端部から外側に延在するフランジ部１ｂとを有する。音の放射方向（矢印Ｙ１方向）と逆側に位置するヨーク１の背面１ｂａは、略矩形状の平面形状に形成されている。マグネット２は、環状の形状を有し、ヨーク１の適切な位置に位置決めされた状態で、そのヨーク１の要素であるフランジ部１ｂ上に配置されている。プレート３は、環状の形状をなし、マグネット２上に配置されている。そして、プレート３の内周壁と、ヨーク１の要素であるポール部１ａの外周壁との間付近には磁気ギャップ１１が形成されている。
【００３２】
次に、振動系３１の構成について説明する。
【００３３】
フレーム４は、スピーカー装置１００を構成する様々な構成部品を支持する機能を有する。フレーム４は、枠状の形状をなし、音の放射方向（矢印Ｙ１方向）と逆側に位置する背面４ｘと、その背面４ｘの終端から音の放射方向（矢印Ｙ１方向）に屈曲してなる側面４ｙと、その側面４ｙの一端側からスピーカー装置１００の中心軸Ｌ１側に屈曲してなる上面４ｚとを有する。フレーム４の側面４ｙは、図示のように４つの側面から構成され、フレーム４の短手方向に位置する２つの側面４ｙａと、フレーム４の長手方向に位置する２つの側面４ｙｂとを有する。各側面４ｙａのＸ方向の長さは、各側面４ｙｂのＹ方向の長さと比べて長くなっている。フレーム４の上面４ｚ側には、後述するエッジ５ｂの外周縁部を支持する階段状の段部４ｂが形成されている。フレーム４は、その内壁が磁気回路３０の各要素の外周壁等と接触した状態で当該磁気回路３０を支持している。そして、フレーム４の背面４ｘは、ヨーク１の背面１ｂａと略同一面上に位置している。なお、フレーム４は、上記した要素の他にも特徴的な要素を有するが、この点については後述する。
【００３４】
振動板５は、入力信号に応じた音波を放射する機能を有する。振動板５は、ドーム型の振動板であり、略Ｕ字状の断面形状を有する凹部５ａとエッジ５ｂを有する。凹部５ａは、ポール部１ａの外周壁の上端部近傍及びプレート３の内周壁付近の各々に対応する位置に配置され、その凹部５ａ内にはボイスコイル６が保持されている。エッジ５ｂは、凹部５ａの一部と繋がった状態で当該凹部５ａの外側に配置され、そのエッジ５ｂの外周部はフレーム４の段部４ｂ上に取り付けられている。このため、エッジ５ｂは、フレーム４に対してボイスコイル６及び振動板５等を弾性的に支持する機能を有する。そして、振動板５と磁気回路３０の間には空間Ｓ１が形成されている。なお、この例では、振動板５とエッジ５ｂとは一体的に形成されているが、これに限らず、その両者は別体若しくは独立に形成されていても構わない。
【００３５】
ボイスコイル６は、１つの配線からなり、図示しないプラス及びマイナスのリード線を夫々有している。ボイスコイル６は、上記したように、振動板５の凹部５ａ内に保持されている。ボイスコイル６において、プラス側のリード線はＬ（又はＲ）チャンネル信号の入力配線であり、マイナス側のリード線はグランド（ＧＮＤ：接地）信号の入力配線である。プラス及びマイナスの各リード線は、後述する端子１０に接続されている。また、端子１０は、図示しないアンプ側の出力配線若しくは外部回路にも接続されている。これにより、ボイスコイル６には、端子１０、プラス及びマイナスの各リード線を介してアンプ側から１チャンネル分の信号や電力が入力される。
【００３６】
ケース７は、蓋状の形状を有し、振動板５を覆う位置に配置され、フレーム４の側面４ｙの上端部付近に嵌合している。ケース７は、複数の開口７ａを有している。各開口７ａは、ケース７の短手方向の中心に対応する位置に且つＸ方向に適宜の間隔をおいて形成されている。各開口７ａは、振動板５から放射される音波を外部へ通過させる機能を有する。
【００３７】
その他の部材としては、アンプ側から出力される信号及び電力を中継してボイスコイル６へ供給する端子１０などが挙げられる。この端子１０は、フレーム４の背面４ｘ側の適当な位置に設けられているが、この点については後述する。
【００３８】
以上の構成を有するスピーカー装置１００において、アンプ側から出力された信号及び電力は、端子１０並びにボイスコイル６のプラス及びマイナスのリード線を介してボイスコイル６へ供給される。これにより、磁気ギャップ１１内でボイスコイル６に駆動力が発生し、振動板５をスピーカー装置１００の中心軸Ｌ１方向に振動させる。こうして、スピーカー装置１００は、矢印Ｙ１の方向に音波を放射する。
【００３９】
（フレームに対する端子の取付構造）
次に、図１（ｂ）、図２乃至図４等を参照して、フレーム４に対する端子１０の取付構造について説明する。図４（ａ）は、図１（ｂ）における破線領域Ｅ１に対応する斜視図であり、フレーム４の背面４ｘ側の所定位置に対する端子１０の取付方法を説明する図である。図４（ｂ）は、図４（ａ）に対応する図であり、フレーム４の背面４ｘ側の所定位置に端子１０が取り付けられた状態を示す。
【００４０】
まず、フレーム４の構成について詳述する。フレーム４の基本的な構成は既に述べた通りなので、以下では、フレーム４の特徴的な構成について説明する。
【００４１】
フレーム４は、その背面４ｘと、そのフレーム４の長手方向に位置する側面４ｙｂとに通じる複数の開口４ａと、その背面４ｘ側に且つ各開口４ａに対応する位置に階段状の段部４ｃを有している。この段部４ｃには、図示しない接着要素を介して端子１０が取り付けられる。
【００４２】
ここで、その取付方法について簡単に述べる。まず、図４（ａ）に示すように、フレーム４の背面４ｘ側から図中矢印に示す方向に端子１０を移動させて、当該端子１０を、図示しない接着要素を介してフレーム４の段部４ｂに取り付ける。かかる状態が図４（ｂ）等に示されている。これにより、フレーム４の背面４ｘ側の開口４ａは端子１０により閉塞されるが、フレーム４の側面４ｙｂ側の開口４ａは当該端子１０によって閉塞されず、空間Ｓ１とスピーカー装置１００の外部空間とに繋がることになる。このため、このスピーカー装置１００の動作時、フレーム４の側面４ｙｂに位置する開口４ａを通じて、その装置内部と外部空間との間で空気の流出入（通気）が行われる。
【００４３】
即ち、図３において、スピーカー装置１００の動作時、振動板５等が矢印Ｙ１方向に移動したと仮定した場合、外部空間に存在する空気（外気）は開口４ａを通じて空間Ｓ１内に流入する。即ち、この場合、外気は、矢印Ｙ２方向に示すようにフレーム４の側面４ｙｂに存在する開口４ａを通じてエッジ５ｂとプレート３の間の間隙に流入し、さらにその流入した外気は磁気ギャップ１１を通過して振動板５とポール部１ｂの間の間隙へ流入する（図３の破線領域Ｅ２を拡大した図５も参照）。一方、振動板５等が矢印Ｙ１方向と逆方向に移動したと仮定した場合、ボイスコイル６を通じて加熱された空間Ｓ１内に存在する空気は、上記の経路と逆の経路を辿って、最終的に、矢印Ｙ２に示すようにフレーム４の側面４ｙｂに存在する開口４ａを通じて外部空間へ流出する若しくは排出される。こうした一連の作用により、スピーカー装置１００内の通気性が高まるため、その装置内が冷却されると共に、その装置内の圧力が必要以上に高くなるのを防止でき振動板５の移動が円滑（スムーズ）になる。これらにより、感度が低下するのを防止できる。以上より、フレーム４の側面４ｙｂに存在する開口４ａは通気用の孔として機能することが理解される。
【００４４】
次に、比較例と比較した、本発明の第１実施例に係るスピーカー装置１００の特有の作用効果について説明する。
【００４５】
まず、比較例について説明する。なお、比較例において、第１実施例と同一の要素については同一の符号を付し、その説明は省略又は簡略化する。
【００４６】
図６及び図７は、比較例に係る、フレームに対する端子の取付構造を有するスピーカー装置５０の構成を示す。図６（ａ）は、図１（ｂ）に対応する比較例に係るスピーカー装置５０の背面図を示す。図６（ｂ）は、図６（ａ）における切断線Ｄ−Ｄ’に沿った断面図を示す。図７は、図６（ｂ）における破線領域Ｅ６を拡大して示す部分断面図である。
【００４７】
比較例では、フレーム４の背面４ｘ側に通気用の開口４ａが形成されているが、フレーム４の側面４ｙｂには開口４ａは形成されていない。即ち、比較例では、開口４ａは、上記の第１実施例と異なり、フレーム４の背面４ｘとその側面４ｙｂとに繋がっていない。また、比較例では、フレーム４の背面４ｘ側の隅の位置に且つ開口４ａの近傍位置に段部４ｃが設けられており、その段部４ｃには、図示しない接着要素を介して端子１０ｘが取り付けられている。以上の構成を有する比較例では、スピーカー装置５０の動作時、矢印Ｙ２に示すように開口４ａを通じてスピーカー装置５０内の空間Ｓ１と外部空間との間で通気が行われる。
【００４８】
このような構成を有する比較例では、図６（ａ）及び図７に示されるように、通気用の開口４ａと端子１０の両者を、フレーム４の側面４ｙｂ近傍に位置する背面４ｘに設けるようにしている。このため、大きな寸法を有する端子を必要とする場合、その端子の設置スペースの拡大化を図るのは困難である。また、このような構成を採用することにより、スピーカー装置の小型化に伴って、端子１０ｘ、開口４ａ及び磁気回路３０の設置スペースを確保するのが益々困難になる。
【００４９】
これに対して、本発明の第１実施例では、フレーム４は、その背面４ｘと、そのフレーム４の長手方向に位置する側面４ｙｂとに繋がる開口４ａと、その背面４ｘ側に且つ各開口４ａに対応する位置に段部４ｃを有している。よって、フレーム４の背面４ｘ側に設けられた段部４ｃに端子１０を取り付けて、その背面４ｘ側の開口４ａを閉塞した状態でも、フレーム４の側面４ｙｂに通気用の開口４ａを確保することができる。また、このような構成を採用すれば、フレーム４の背面４ｘ側に開口４ａを設定しない分、その背面４ｘ側において端子１０の設置スペースの拡大化を図ることができる。よって、第１実施例によれば、比較例と比較して明らかなように、フレーム４において、通気用の開口４ａを確保しつつ端子１０の設置スペースの拡大化を図ることができる。また、フレーム４の背面４ｘにおいて端子１０の設置スペースを十分に確保することが可能な場合、不必要な端子１０の設置スペースの分を磁気回路３０の寸法拡大に割り当てることができ、磁気回路３０の拡大化を図ることができる。その結果、感度向上を図ることができる。
【００５０】
また、このような構成の適用は小型スピーカー装置に特に有利であり、アンプ側とスピーカー装置の電気的な接触エリアの拡大化によって、本構成の適用可能なスピーカー装置の種類を増やすことができ、スピーカー装置の汎用性拡大にも繋がる。よって、携帯電話、ＰＤＡ、ノート型パソコンなどの各種の情報機器用のスピーカー装置として好適に用いることができる。
【００５１】
さらに、本構成を採用すれば、フレームの側面にのみ通気用の開口を有する構成（他の比較例に係る構成）と比較して、フレームを安価に成形することが可能となる。
【００５２】
即ち、他の比較例に係る構成を採用すれば、第１実施例と同様の効果を期待できるが、その反面、次のような問題が生じる。
【００５３】
一般的に、フレームは、その上面成形用の金型とその下面成形用の金型の２つの金型を用いて射出成形することにより成形される。したがって、そのような射出成形方法では、フレームの側面にのみ開口を形成するのは容易ではなく、また、そのようなフレームを安価に成形するのも困難である。よって、他の比較例の構成を有するフレームを成形するのは成形性及びコストの点において問題がある。この点、第１実施例のように、フレーム４の背面４ｘと側面４ｙｂとを繋げるように開口４ａを構成すれば、上記の射出成形方法により容易且つ安価に成形することができる。
【００５４】
［第２実施例］
次に、図８乃至図１０を参照して、本発明の第２実施例に係るスピーカー装置の構成等について説明する。なお、以下では、第１実施例と同様の要素については同一の符号を付し、第１実施例と相違する点についてのみ説明する。
【００５５】
図８（ａ）は、図１（ｂ）に対応する、第２実施例に係るスピーカー装置２００の背面図である。図８（ｂ）は、図８（ａ）におけるスピーカー装置２００をＹ方向から観察したときの側面図である。図９は、図８（ａ）のスピーカー装置２００における切断線Ｅ−Ｅ’に沿った断面図である。図１０は、図８（ａ）のスピーカー装置２００における切断線Ｆ−Ｆ’に沿った部分断面図である。
【００５６】
第１実施例では、フレーム４に設けられる通気用の開口４ａは、そのフレーム４の背面４ｘと、そのフレーム４の長手方向に位置する側面４ｙｂとを繋ぐように形成していた。これに対して、第２実施例に係るスピーカー装置２００では、フレーム４に設けられる開口４ａは、そのフレーム４の背面４ｘと、そのフレーム４の短手方向に位置する側面４ｙａとを繋ぐように形成している点が第１実施例と特に異なっている。
【００５７】
具体的には、第２実施例では、開口４ａは、フレーム４の長手方向に位置する側面４ｙｂの近傍に、且つ、背面４ｘ側に、且つ、フレーム４の短手方向に位置する側面４ｙａの隅の位置に設けられている。換言すれば、第２実施例では、第１実施例のようにフレーム４の位置する長手方向に位置する側面４ｙｂには開口４ａが形成されていない。このような構成を有する第２実施例では、スピーカー装置２００の動作時、その装置内の空間Ｓ１と外部空間との間で開口４ａを通じて通気が行われる。
【００５８】
よって、このような構成を有する第２実施例では、上記の第１実施例と同様の作用効果を得ることができる。
【００５９】
［第３実施例］
次に、図１１乃至図１３を参照して、本発明の第３実施例に係るスピーカー装置３００の構成等について説明する。なお、以下では、第１実施例と同様の要素については同一の符号を付し、第１実施例と相違する点についてのみ簡単に説明する。
【００６０】
図１１（ａ）は、図１（ｂ）に対応する、第３実施例に係るスピーカー装置３００の背面図である。図１１（ｂ）は、図１１（ａ）のスピーカー装置３００における切断線Ｇ−Ｇ’に沿った断面図である。図１２（ａ）は、図１１（ａ）におけるスピーカー装置３００をＸ方向から観察したときの側面図である。図１２（ｂ）は、図１１（ａ）のスピーカー装置３００における切断線Ｈ−Ｈ’に沿った断面図である。図１３は、図１２（ａ）の破線領域Ｅ８に対応する部分拡大断面図である。
【００６１】
第１実施例では、フレーム４に設けられる通気用の開口４ａは、そのフレーム４の背面４ｘと、そのフレーム４の長手方向に位置する側面４ｙｂとを繋ぐように形成していたが、第３実施例はこの点において第１実施例と共通している。しかし、第３実施例では、端子の構成が第１実施例と異なっており、そのため、フレーム４に対する、その端子の取り付け方法が第１実施例と異なっている。
【００６２】
即ち、第１実施例では、端子１０が平板状の形状をなし、当該端子１０がフレーム４の背面４ｘ側の開口４ａに対応する位置に設けられた段部４ｂに接着要素を介して取り付けられていた。これに対して、第３実施例の端子１０ｙは、フレーム４の段部４ｂに貼着する形式の端子ではなく、フレーム４の溝内に挿入して固定される、インサート型のバネ端子となっている。なお、このバネ端子は一般的に周知であり、その構成の詳細な説明は省く。
【００６３】
ここで、フレーム４に対する、第３実施例の端子１０ｙの取り付け方法等について簡単に述べる。端子１０ｙの一端側１０ｙａは外部回路等に接続される部位であり、その端子１０ｙの他端側１０ｙｂは、図１２（ｂ）及び図１３に示すように、階段状の形状に形成されている。これに対応するように、フレーム４の短手方向に対応する側面４ｙａの近傍位置に且つ背面４ｘ側には、階段状の形状を有する溝４ｓが形成されている。そのため、端子１０ｙの他端側１０ｙｂを、フレーム４の背面４ｘ側に設けられた溝４ｓ内に挿入することで、その部分が溝４ｓに嵌合され且つ固定される。これにより、フレーム４の背面４ｘ側の開口４ａは閉塞される一方、フレーム４の長手方向に位置する側面４ｙｂ側にのみ開口４ａが形成される。
【００６４】
よって、第１実施例と同様の作用効果を得ることができる。加えて、第３実施例のようにインサート型のバネ端子を用いることで、第１実施例と比較して、かかる端子１０ｙをフレーム４に取り付ける作業（工数）の削減を図ることができると共に、当該端子１０ｙと外部回路との接触位置の精度向上を図ることができる。
【００６５】
［変形例］
上記の第１及び第３実施例では、端子１０又は１０ｙをフレーム４の背面４ｘ側の所定位置に取り付けた状態において、フレーム４の長手方向に位置する側面４ｙｂに通気用の開口４ａが設定され、また、上記の第２実施例では、フレーム４の長手方向に位置する側面４ｙｂ近傍に且つ背面４ｘ側に且つ側面４ｙａの隅の位置に通気用の開口４ａが形成されるように構成したが、そのような位置に限定されず、本発明では、端子をフレーム４の背面４ｘ側の所定位置に取り付けた状態において、フレーム４の側面４ｙａ及び４ｙｂの適切な位置に通気用の開口４ａが設定されるように構成しても構わない。
【００６６】
また、上記の各種実施例では、矩形状の平面形状を有するスピーカー装置に本発明を適用することにしたが、これに限らず、丸型、長円型、楕円型などの各種の周知の平面形状を有するスピーカー装置にも適用可能である。また、上記の各種実施例では、外磁型のスピーカー装置に本発明を適用することとしたが、これに限らず、内磁型のスピーカー装置にも本発明を適用することは可能である。このように、本発明では、その趣旨を逸脱しない範囲において種々の変形が可能である。
【図面の簡単な説明】
【００６７】
【図１】本発明の第１実施例に係るスピーカー装置の正面図及び背面図等を示す。
【図２】図１における端子及び開口付近の側面図及び側断面図を示す。
【図３】図１における切断線Ａ−Ａ’に沿ったスピーカー装置の断面図を示す。
【図４】第１実施例に係るフレームに対する端子の取付方法等を示す部分斜視図である。
【図５】図３における端子及び開口付近を拡大して示す部分断面図である。
【図６】比較例に係るスピーカー装置の背面図及び断面図を示す。
【図７】図６における端子及び開口付近を拡大して示す部分斜視図及び部分断面図である。
【図８】本発明の第２実施例に係るスピーカー装置の背面図及び側面図を示す。
【図９】図８における切断線Ｅ−Ｅ’に沿ったスピーカー装置の断面図を示す。
【図１０】図８における切断線Ｆ−Ｆ’に沿ったスピーカー装置の断面図を示す。
【図１１】本発明の第３実施例に係るスピーカー装置の背面図及び断面図を示す。
【図１２】第３実施例に係る端子及び開口付近の構成を示す側面図及び断面図である。
【図１３】図１２におけるフレームに対する端子の取付構造を拡大して示す部分断面図である。
【符号の説明】
【００６８】
１  ヨーク
１ｂａ  背面
４  フレーム
４ａ  開口
４ｂ、４ｃ  段部
４ｘ  背面
４ｙａ、４ｙｂ  側面
１０、１０ｘ、１０ｙ  端子
３０  磁気回路
３１  振動系
Ｓ１  空間
５０、１００、２００、３００  スピーカー装置
【図１】
0004766980.tif 000002
【図２】
0004766980.tif 000003
【図３】
0004766980.tif 000004
【図４】
0004766980.tif 000005
【図５】
0004766980.tif 000006
【図６】
0004766980.tif 000007
【図７】
0004766980.tif 000008
【図８】
0004766980.tif 000009
【図９】
0004766980.tif 000010
【図１０】
0004766980.tif 000011
【図１１】
0004766980.tif 000012
【図１２】
0004766980.tif 000013
【図１３】
0004766980.tif 000014